(57)【要約】  地上波放送受信機を備えたロービング装置のポップ画面ダイアログを生成する方法および装置を提供する。この装置は、ディジタル地上波信号を受信する地上波受信機を有する移動装置の動作に関連するダイアログ・メッセージを生成するダイアログ生成器（１１０）を含む。ダイアログ・メッセージは、ユーザ・プロンプティングを行わずに自動的に生成される。
2009506670.tif 000002
【特許請求の範囲】
【請求項１】
ディジタル地上波信号を受信する地上波受信機を有する移動装置の動作に関連するダイアログ・メッセージを生成するダイアログ生成器（１１０）を備え、
前記ダイアログ・メッセージが、ユーザ・プロンプティングを行わずに自動的に生成される、装置。
【請求項２】
前記ダイアログ・メッセージの少なくとも１つが、前記移動装置がディジタル地上波信号を受信するときに起こる問題に関係する、請求項１に記載の装置。
【請求項３】
前記移動装置が、ディジタル移動テレビジョン受信機である、請求項１に記載の装置。
【請求項４】
前記ダイアログ・メッセージが、ディジタル・テレビジョン機能に対応する、請求項３に記載の装置。
【請求項５】
前記ダイアログ・メッセージの少なくとも１つが、アイコンおよびテキスト文字列の少なくとも１つで表される、請求項１に記載の装置。
【請求項６】
前記ダイアログ・メッセージのそれぞれが、様々な目的に基づいて区別され、前記様々な目的が、様々な表示されるアイコンによって表される、請求項５に記載の装置。
【請求項７】
前記ダイアログ・メッセージの少なくとも１つが、現在の動作状態を前記移動装置のユーザに対して示すこと、または前記現在の動作状態に関する入力を前記ユーザに要求することの少なくとも一方を行う、請求項１に記載の装置。
【請求項８】
前記ダイアログ・メッセージの少なくとも１つが、前記移動装置の初期化、要求されたサービスの不在、信号の不在、選択された番組の不在、ネットワーク外状態、前記移動装置の利用可能な更新、ダウンロード状況、および前記移動装置の動作に関するユーザ動作の要求のうち少なくとも１つに関する、請求項１に記載の装置。
【請求項９】
前記ダイアログ・メッセージの少なくとも１つが、ディジタル・テレビジョン機能の現在の望ましくない状態をユーザに通知することに関係し、前記ダイアログ・メッセージの少なくとも別の１つが、前記現在の望ましくない状態を変化させて以前の望ましい状態に戻すためのユーザ動作を前記ユーザに通知することに関係する、請求項１に記載の装置。
【請求項１０】
前記ダイアログ・メッセージの少なくとも１つが、予め指定された期間の間、および予め指定された状態が発生するまで、の少なくとも一方で表示されるように構成される、請求項１に記載の装置。
【請求項１１】
前記予め指定された状態が、ユーザ入力の受信を含む、請求項１０に記載の装置。
【請求項１２】
前記ダイアログ・メッセージの少なくとも１つが、既存の画像、前記ダイアログ・メッセージの前記少なくとも１つとともに使用されるための専用の特定の画像、固定画像、および動的画像の上に表示されるように構成される、請求項１に記載の装置。
【請求項１３】
ディジタル地上波信号を受信する地上波受信機を有する移動装置の動作に関連するダイアログ・メッセージを生成するステップ（６３５）を含み、
前記ダイアログ・メッセージが、ユーザ・プロンプティングを行わずに自動的に生成される、方法。
【請求項１４】
前記ダイアログ・メッセージの少なくとも１つが、前記移動装置がディジタル地上波信号を受信するときに起こる問題に関係する（３００）、請求項１３に記載の方法。
【請求項１５】
前記移動装置が、ディジタル移動テレビジョン受信機である、請求項１３に記載の方法。
【請求項１６】
前記ダイアログ・メッセージが、ディジタル・テレビジョン機能に対応する（３００、４００）、請求項１５に記載の方法。
【請求項１７】
前記ダイアログ・メッセージの少なくとも１つが、アイコンおよびテキスト文字列の少なくとも１つで表される（３００、４００）、請求項１３に記載の方法。
【請求項１８】
前記ダイアログ・メッセージのそれぞれが、様々な目的に基づいて区別され、前記様々な目的が、様々な表示されるアイコンによって表される、請求項１７に記載の方法。
【請求項１９】
前記ダイアログ・メッセージの少なくとも１つが、現在の動作状態を前記移動装置のユーザに対して示すこと、または前記現在の動作状態に関する入力を前記ユーザに要求することの少なくとも一方を行う（３００）、請求項１３に記載の方法。
【請求項２０】
前記ダイアログ・メッセージの少なくとも１つが、前記移動装置の初期化、要求されたサービスの不在、信号の不在、選択された番組の不在、ネットワーク外状態、前記移動装置の利用可能な更新、ダウンロード状況、および前記移動装置の動作に関するユーザ動作の要求のうち少なくとも１つに関する（３００、４００）、請求項１３に記載の方法。
【請求項２１】
前記ダイアログ・メッセージの少なくとも１つが、ディジタル・テレビジョン機能の現在の望ましくない状態をユーザに通知することに関係し、前記ダイアログ・メッセージの少なくとも別の１つが、前記現在の望ましくない状態を変化させて以前の望ましい状態に戻すためのユーザ動作を前記ユーザに通知することに関係する（３００）、請求項１３に記載の方法。
【請求項２２】
前記ダイアログ・メッセージの少なくとも１つが、予め指定された期間の間、および予め指定された状態が発生するまで、の少なくとも一方で表示されるように構成される、請求項１３に記載の方法。
【請求項２３】
前記予め指定された状態が、ユーザ入力の受信を含む、請求項２２に記載の方法。
【請求項２４】
前記ダイアログ・メッセージの少なくとも１つが、既存の画像、前記ダイアログ・メッセージの前記少なくとも１つとともに使用されるための専用の特定の画像、固定画像、および動的画像の上に表示されるように構成される（３００、４００）、請求項１３に記載の方法。
【発明の詳細な説明】
【技術分野】
【０００１】
本発明は、一般に移動装置に関し、さらに詳細には、地上波放送受信機を用いて移動装置のポップ画面ダイアログを生成する方法および装置に関する。
【背景技術】
【０００２】
地上ディジタル放送用（ＤＶＢ−Ｔ）同調器を有する新しい携帯ビデオ装置が次々に登場している。これらの装置は、地上のディジタル送信機から送出されたビデオ放送を表示する。これらの装置には移動性があるため、従来のアナログ・テレビジョン受信機またはディジタル・テレビジョン受信機とは状況が異なる。ユーザがこの装置を自動車に持ち込む、または列車に持ち込んだとき、当該ユーザが送信地域の外に出て、新しい送信地域に入る可能性がある。しかし、ユーザがこの状況の変化に気がつかず、この状況の変化に望ましい方法で対処するために取ることができる措置も知らない可能性がある。
【発明の開示】
【発明が解決しようとする課題】
【０００３】
本発明は、地上波放送受信機を備えた移動装置のポップ画面ダイアログを生成する方法および装置に関し、従来技術の上記その他の欠点および短所に対処するものである。
【課題を解決するための手段】
【０００４】
本発明の一態様によれば、装置が提供される。この装置は、ディジタル地上波信号を受信する地上波受信機を有する移動装置の動作に関連するダイアログ・メッセージを生成するダイアログ生成器を含む。ダイアログ・メッセージは、ユーザ・プロンプティングを行わずに（ユーザによるプロンプト入力を指示せずに）自動的に生成される。
【０００５】
本発明の別の態様によれば、方法が提供される。この方法は、ディジタル地上波信号を受信する地上波受信機を有する移動装置の動作に関連するダイアログ・メッセージを生成するステップを含む。ダイアログ・メッセージは、ユーザ・プロンプティングを行わずに自動的に生成される。
【０００６】
本発明の上記その他の態様、特徴および利点は、以下の例示的な実施形態の詳細な説明を添付の図面と関連づけて読めば、明らかになるであろう。
【０００７】
本発明は、添付の例示的な図面を参照すればよりよく理解することができる。
【発明を実施するための最良の形態】
【０００８】
本発明は、地上波放送受信機を用いて移動装置のポップ画面ダイアログを生成する方法および装置に関する。
【０００９】
本記述は、本発明を説明するものである。従って、本明細書には明示的に説明または図示されていないが、本発明を実施し、本発明の趣旨および範囲内に含まれる様々な構成を、当業者なら考案することができることを理解されたい。
【００１０】
本明細書に記載する全ての例と条件に関する記述は、当技術分野の向上のために発明者が与えた本発明の原理および概念を読者が理解するのを助ける教育的目的で記載したものであり、本発明はこれら具体的に記載した例や条件に制限されないものと解釈されたい。
【００１１】
さらに、本発明の原理、態様および実施形態、ならびにその具体例に関する本明細書の全ての記述は、それらの構造的および機能的均等物をともに包含するものとする。さらに、これらの均等物には、現在既知の均等物だけでなく、将来開発される均等物、すなわち将来開発される、構造に関わらず同じ機能を実行する任意の要素も含まれるものとする。
【００１２】
従って、例えば、本明細書に示すブロック図が、本発明を実施する例示的な回路の概念図であることを、当業者なら理解されたい。同様に、任意のフローチャート、流れ図、状態遷移図、擬似コードなどが、コンピュータ可読媒体中に実質的に表現され、コンピュータまたはプロセッサ（明示される場合も明示されない場合もある）によって実行される様々なプロセスを表すことも理解されたい。
【００１３】
図面に示す様々な要素の機能は、専用のハードウェア、および適当なソフトウェアと連動してソフトウェアを実行することができるハードウェアを使用して実現することができる。プロセッサによって実現するときには、これらの機能は単一の専用プロセッサで実現することも、単一の共用プロセッサで実現することも、あるいはその一部を共用することもできる複数の個別プロセッサで実施することもできる。さらに、「プロセッサ」または「制御装置」という用語を明示的に用いていても、ソフトウェアを実行することができるハードウェアのみを指していると解釈すべきではなく、ディジタル信号プロセッサ（ＤＳＰ）ハードウェア、ソフトウェアを記憶するための読取り専用メモリ（ＲＯＭ）、ランダム・アクセス・メモリ（ＲＡＭ）および不揮発性記憶装置を暗に含む（ただしこれらに限定されない）ことがある。
【００１４】
従来の、且つ／または特注のその他ハードウェアも含まれることがある。同様に、図面に示すどのスイッチも、概念的なものに過ぎない。スイッチの機能は、プログラム・ロジックの動作によっても、専用ロジックによっても、プログラム制御と専用ロジックの相互作用によっても、あるいは手作業によっても実施することができ、実施する者が状況から具体的に判断して特定の技術を選択することができる。
【００１５】
本明細書の特許請求の範囲において、特定の機能を実行する手段として表現されている任意の要素は、例えば（ａ）当該機能を実行する回路素子の組合せや、（ｂ）ファームウェアやマイクロコードなども含む任意の形態のソフトウェアを、当該ソフトウェアを実行して当該機能を実行する適当な回路と組み合わせたものなど、当該機能を実行する任意の方法を含むものとする。特許請求の範囲に定義される本発明は、列挙する様々な手段によって実施される機能を、特許請求の範囲が要求するかたちで組み合わせることにある。従って、これらの機能を実施することができるあらゆる手段は、本明細書に示す手段の均等物とみなすものとする。
【００１６】
本明細書における本発明の「一実施形態」または「実施形態」という記述は、当該実施形態に関連して述べる特定の機能、構造および特徴などが本発明の少なくとも１つの実施形態に含まれるということを意味する。従って、本明細書の様々な箇所に見られる「一実施形態では」または「実施形態では」といった記述は、必ずしも全てが同じ実施形態のことを言っているわけではない。
【００１７】
上記のように、本発明は、地上波受信機を用いてロービング装置のポップ・ダイアログ画面を生成する方法および装置に関する。本発明による実施態様は、ユーザ・プロンプティングを行わずにダイアログを生成するように構成することができるので、明示的にシステムに指示を取得させることなくポップ・ダイアログによる自動指示によってユーザに状態の変化（例えば主送信地域から外れたこと）を気づかせることができるので有利である。
【００１８】
図１を参照すると、地上波放送受信機を用いて移動装置のポップ画面ダイアログを生成する例示的な装置の全体が、参照番号１００で示してある。
【００１９】
装置１００は、移動装置１９０に組み込まれる。簡潔にするため、移動装置１９０については簡単に説明する。ただし、当技術分野および関連する技術分野の当業者なら、本発明が適用される移動装置の以下その他の要素および実施態様を、本発明の範囲を逸脱することなく考えつくであろう。移動装置１９０は、プロセッサ１９１、少なくとも１つのメモリ装置１９２、入出力インタフェース１９３、ディスプレイ１９４、少なくとも１つのスピーカ１９５、少なくとも１つの受信機１８０、およびアンテナ１９６を含む。バス１９７が、移動装置１９０の前述の要素を相互に接続している。
【００２０】
プロセッサ１９１は、例えばオーディオ信号やビデオ信号などのディジタル信号を処理するディジタル信号プロセッサでもよいし、ディジタル信号処理部を含むものであってもよい。従って、プロセッサ１９１、および少なくとも１つの受信機１８０の１つまたは複数の何れかは、信号受信や復調など（これらに限定されない）を含む信号処理を実行する対応する要素または回路を含むことができる。これらの要素および回路には、ディジタル・アナログ変換器（ＤＡＣ）や同調器などが含まれる。
【００２１】
装置１００は、ポップ・ダイアログ生成器１１０を含む。バス１９７は、ポップ・ダイアログ生成器１１０も、移動装置１９０の各要素に接続している。
【００２２】
ポップ・ダイアログ生成器１１０は、移動装置１９０のユーザに対するポップ・ダイアログを生成する。このダイアログは、ユーザに状況の変化（例えば主送信地域から外れたこと）を気づかせること、および変化した状況に望ましい方法で対応することに関するものにすることができる。
【００２３】
ポップ・ダイアログ生成器１１０は移動装置１９０の一部として述べた要素とは別個の要素として示してあるが、本発明の範囲を逸脱することなく、移動装置１９０の既存の１つまたは複数の構成要素を使用して本発明による移動装置のポップ・ダイアログを生成する装置を実装することもできることを、当技術分野および関連する技術分野の当業者なら理解できることを理解されたい。例えば、装置１００は、移動装置１９０の１つまたは複数の既存の要素を使用して本発明を実施することができる。こうした既存の装置としては、プロセッサ１９１および少なくとも１つのメモリ装置１９２が挙げられるが、これらに限定されるものではない。
【００２４】
ポップ・ダイアログ生成器１１０への入力は、移動装置１９０のその他の要素の１つまたは複数から行うことができる。例えば、プロセッサ１９１は、信号が微弱または利用不能であること、特定の番組にチューニングできないこと、ネットワーク外状態であることなどを示す指示を、ポップ・ダイアログ生成器１１０に送り、ポップ・ダイアログ生成器１１０にユーザに表示する適当なメッセージを生成させることができる。本発明によってポップ・ダイアログ・メッセージの生成を促すことができる状況／状態のタイプについて、以下でさらに詳細に述べる。メッセージは、ポップ・ダイアログ生成器１１０自体、プロセッサ１９１、ならびに／またはディスプレイ１９４および対応する回路（例えばビデオ・アダプタ（図示せず））で表示するようにフォーマットすることができる。
【００２５】
本発明は、地上波放送受信機を用いてロービング装置のポップ・ダイアログ画面を生成する方法および装置に関する。本発明の一実施形態によれば、ダイアログ・メッセージは、地上波放送受信機を用いてロービング装置のユーザに提供される。ダイアログ・メッセージは、当該ユーザの当該ロービング装置に対して一意的に生成することができる。
【００２６】
本発明は、例えばＭｏｂｉｌｉＴＶやｉＺｉＧＯ等の地上ディジタル放送用（ＤＶＢ−Ｔ）受信機を備えたロービング装置で使用することができる。この装置は、地上のディジタル送信機から送出されたビデオ放送を表示する。これらの装置には移動性があるため、従来のアナログ・テレビジョン受信機またはディジタル・テレビジョン受信機とは状況が異なる。ユーザがこの装置を自動車に持ち込む、または列車に持ち込んだとき、当該ユーザが送信地域の外に出て、新しい送信地域に入る可能性がある。ダイアログ・メッセージは、この状況をユーザが知り、十分な修正を加えて装置に対して不満を感じないようにできるように構成することができる。
【００２７】
主にＤＶＢ−Ｔ受信機を備えたロービング装置に注目して本発明について説明するが、本発明はその他のロービング装置にも容易に適用できることを理解されたい。すなわち、本明細書に記載する本発明の教示があれば、当技術分野および関連する技術分野の当業者なら、本発明の範囲を逸脱することなく本発明を適用することができる以下その他のロービング装置を考えつくことができる。
【００２８】
本発明の様々な実施形態による本明細書に記載のダイアログ・メッセージは、ソフトウェアが機能している間に表示することができ、テキスト文字列に基づいて生成することができ、ビデオ背景または固定背景を有することができる。
【００２９】
図２を参照すると、移動装置の初期化時に使用されるポップ・アップ・メッセージを示す例示的なスタート・アップ表示画面を映した画面写真の全体を、参照番号２００で示してある。図３を参照すると、注意アイコン付きの固定背景ポップ・アップ・メッセージを示す例示的な表示画面を映した画面写真の全体を、参照番号３００で示してある。図４を参照すると、情報アイコン付きのポップ・アップ・メッセージを示す例示的な表示画面を映した画面写真の全体を、参照番号４００で示してある。本明細書の以下では、本発明によって生成される様々なタイプのメッセージに関連して、ＵＳＢアイコン、注意アイコン、および情報アイコンの様々な使用形態について述べる。
【００３０】
図５Ａ〜５Ｅを参照すると、それぞれ１行から５行のポップ・アップ・メッセージを示す様々な例示的な表示画面を映した画面写真の全体を、それぞれ参照番号５１０、５２０、５３０、５４０および５５０で示してある。これらの様々な画面写真は、表示されている現在のメッセージと背景画像の重複量を示している。
【００３１】
本発明の実施形態では、「初期化中です。お待ちください…」というテキストを有する「ＵＳＢ」と呼ばれるアイコンは、以下の状況で表示することができる。すなわち、ＮＶＲＡＭおよびＦｌａｓｈ  Ｆｉｌｅ  Ｓｙｓｔｅｍが破損し、再初期化され、全ての履歴が失われた状況、ミドルウェアが最新の既知のサービスへの同調を試行している状況、および電源投入中にミドルウェアがセーブド・サービス（ｓａｖｅｄ−ｓｅｒｖｉｃｅ）に同調できることを検出した状況である。このメッセージは、ユーザが初期化の完了を気長に待機する必要があることを示す。このメッセージは、ブランク画面または静止画像の上に表れることができ、タスクが完了するまで表示し続けることができる。タスクが失敗に終わった場合には、信号なしを示すメッセージを表示することができる。
【００３２】
本発明の実施形態では、「信号を検索しています…」というテキストを有する「ＩＮＦＯ」と呼ばれるアイコンは、ミドルウェアが、キャッシュされたサービスまたは同調パラメータが全て無効と見られ、ｓｉｍｏｂ＿ｓｃａｎ（）を呼び出すことによってそこに実際には何があるのかを探索する必要があるために、それが現在していることを放棄することを決定したときに表示することができる。ＳＩＭｏｂモジュールは、ディジタル・ビデオ放送（ＤＶＢ）信号からのサービス情報を走査するセット・トップ・ボックス（ＳＴＢ）上のモジュールである。地上波信号に同調した後、その結果得られる復調信号データ・ストリームは、オーディオ／ビデオ・コンテンツおよびデータ・セグメントの両方を含む。データ・セグメントは、番組名、サービスおよびコンテンツ、ならびにストリームのオーディオ／ビデオ部分からそれらを復号する方法についての番組情報を含む。ＳＩＭｏｂ内のｓｉｍｏｂ＿ｓｃａｎ（）は、このデータ・ストリームに対する走査動作を実行する。ＳＩＭｏｂがストリームの再生方法についての情報を取得するまでは、オーディオ／ビデオ番組は再生できず、「信号を検索しています…」のテキストが表示される。これは、通常は、以下の状況で行われるものとする。すなわち、「初期化しています…」画面後にユニットに履歴がない状況、要求されたサービスを失い（「ｌｏｃｋ＿ｌｏｓｔ」）、行く場所がないことをＳＩＭｏｂモジュールがミドルウェアに通知した後、およびユーザが設定から「手動同調」を選択したとき、である。このメッセージは、ブランク画面または静止画像の上に表れることができ、タスクが完了する、または番組が見つからなくなるまで表示し続けることができる。このメッセージは、ユーザに対して、ユニットがＴＶ信号を探して走査しているが、ユーザがしなければならないことはないことを示す。番組が見つからない場合には、信号なしを示すメッセージを表示することができる。
【００３３】
本発明の実施形態では、「信号を検索しています…」というテキストを有する「ＩＮＦＯ」と呼ばれるアイコンは、ミドルウェアがｓｉｍｏｂ＿ｓｃａｎ（）を実行しており、そのサービス・テーブルの再構築を試行しているときに表示することができる。ミドルウェアは常にサービスを探して走査しているので、この画面は、ミドルウェアがオーディオ／ビデオが再生されていないことを知っていて、実際にｓｉｍｏｂ＿ｓｃａｎ（）を呼び出した状況でのみ示されることが好ましい。このメッセージは、ブランク画面または静止画像の上に表れることができ、プログラムが見つかるまで表示し続けることができる。このメッセージは、ユーザに対して、ＴＶ信号が見つかっており、ユニットが再生可能な番組を探して走査中であることを示す。番組が見つからない場合には、信号なしを示すメッセージを表示することができる。
【００３４】
本発明の実施形態では、「この番組の信号が受信できません。アンテナを確認するか、別の番組に切り替えてください」というテキストを有する「ＡＴＴＥＮＴＩＯＮ」と呼ばれるアイコンは、サービスが失われたが、同じネットワーク上に利用できる他のサービスが存在するときに表示することができる。定義では、任意の再生中のオーディオ／ビデオまたはＭｕｌｔｉｍｅｄｉａ  ａｎｄ  Ｈｙｐｅｒｍｅｄｉａ  ｉｎｆｏｒｍａｔｉｏｎ  ｃｏｄｉｎｇ  Ｅｘｐｅｒｔ  Ｇｒｏｕｐ（ＭＨＥＧ）アプリケーションが停止している。従って、この画面は静止画像の上に表れることができる。このメッセージは、ユーザに対して、現在の番組の信号は失われたが、ユーザは現在のネットワークの全てのチャネルの全ての信号を失ったわけではないことを通知する。このメッセージは、ユーザが番組を変更するか、または信号が復元されるまで表示し続けることができる。
【００３５】
本発明の実施形態では、「信号がありません。アンテナを確認するか、別の場所に移動してください」というテキストを有する「ＡＴＴＥＮＴＩＯＮ」と呼ばれるアイコンは、サービスの信号が完全に失われ、他の信号が受信できないときに表示することができる。例えば、ある人が、この装置をトンネル内や洞窟内で使用しようとする。これは、地上波セット・トップ・ボックス（ＳＴＢ）からアンテナを取り外す、または衛星ＳＴＢから衛星フィードを取り外すことと同じである。このメッセージは、信号が復元されるまで表示し続けることができる。
【００３６】
本発明の実施形態では、「ＩＮＦＯ」と呼ばれるアイコンは、「新しいネットワークに移動し、受信可能な番組に変更がありました。ガイドを確認してください」というテキストを有する。この画面は、あるネットワークから新しいネットワークに移動するときに表示される。あるいは、新しいネットワークのサービスが以前のネットワークより多い、または少ない場合に、新しいネットワークに移動した後で装置が同調されたときに表示することができる。装置がサービス提供に全く変化がないイントラ・ネットワーク・スイッチ（Ｉｎｔｒａ−Ｎｅｔｗｏｒｋ  ｓｗｉｔｃｈ）にある場合には、この画面は表示されない。この画面は、現在のビデオ、メニューまたはガイドの上に表れることができる。このメッセージは、一定期間表示することができる。
【００３７】
本発明の実施形態では、「新しいネットワークに移動し、現在の番組信号は受信できません。同様の番組に切り替えようとしています…」というテキストを有する「ＩＮＦＯ」と呼ばれるアイコンは、ユーザが番組を見ているときに装置が新しいネットワークに移動し、同じＬＣＮが新しいネットワークで利用可能であるが、正確に同じ番組ではないときに表示することができる。例えば、ＢＢＣ１ロンドンとＢＢＣ１アルスターの場合などである。この画面は、現在のビデオ、メニューまたはガイドの上に表れることができる。このメッセージは、一定期間表示することができる。その期間の最後に、この装置は新しいネットワークのＬＣＮに同調する。
【００３８】
本発明の実施形態では、「新しいネットワークに移動し、現在の番組は受信できません。ガイドから新しい番組を選んでください。」というテキストを有する「ＡＴＴＥＮＴＩＯＮ」と呼ばれるアイコンは、ユーザが番組を見ているときに装置が新しいネットワークに移動し、そのＬＣＮが新しいネットワークで利用できないときに表示することができる。このメッセージは、ミドルウェアが信号を失ったか、またはその信号に重大な問題があり視聴が不可能になった後に現れる。この画面は、現在のビデオ、メニューまたはガイドの上に表れることができる。このメッセージは、ユーザがチャネルを切り替えるか、あるいはガイドまたはメニューに移動するまで表示され続ける。
【００３９】
本発明の実施形態では、「ソフトウェアを更新しますか？ＭＥＮＵボタンを押して更新を開始してください。中止する場合は他の何れかのボタンを押してください」というテキストを有する「ＵＳＢ」と呼ばれるアイコンは、ＵＳＢが取り付けられたことをミドルウェアが通知されたときに表示することができる。ガイド画面などその他の任意の対話画面または任意のメニューは終了される。このメッセージは、ブランク画面あるいは静止画像または再生中のオーディオ／ビデオの上に表れることができ、ユーザ入力を必要とすることもある。このメッセージは、ユーザが応答する、またはＵＳＢケーブルを切り離すまで表示し続けることができる。
【００４０】
本発明の実施形態では、「ダウンロード中です。ＵＳＢケーブルを抜かないでください。お待ちください…」というテキストを有する「ＵＳＢ」と呼ばれるアイコンは、ユーザが更新プロセスを継続することを選択し、ミドルウェアがパワー・マネージャからｒｅｂｏｏｔ（）を呼び出さなければならないときに表示することができる。このメッセージは、ダウンロードが完了するまで表示し続けることができる。ダウンロードに失敗した場合には、ダウンロード失敗を示すメッセージを表示することができる。
【００４１】
本発明の実施形態では、「ダウンロードに失敗しました。再度試行してください」というテキストを有する「ＡＴＴＥＮＴＩＯＮ」と呼ばれるアイコンを表示することができる。
【００４２】
本発明の実施形態では、「ダウンロード完了しました。ＵＳＢケーブルを抜いてください。」というテキストを有する「ＵＳＢ」と呼ばれるアイコンは、ダウンロードが完了したときに一度表示することができる。このメッセージは、ＵＳＢケーブルが抜かれるまで表示し続けることができる。ケーブルが抜かれると、ミドルウェアは最後に同調したＬＣＮの番組の再生に戻らなければならない。そのＬＣＮが利用できない場合には、装置は最低番号のＬＣＮに同調することができる。これは、ユニットをＯＦＦ状態からＯＮにすることと同様である。
【００４３】
本発明の実施形態では、「ＵＳＢケーブルを抜いてください」というテキストを有する「ＵＳＢ」と呼ばれるアイコンは、ユーザがダウンロード・プロセスを継続しないことを選択したときに表示することができる。このメッセージは、ユーザがＵＳＢケーブルを抜くまで表示し続けることができる。ケーブルが抜かれると、ミドルウェアは、直前の既知の番組の単純再生に戻らなければならない。その前にメニューまたはガイドが表示されていた場合には、番組に戻り、メニューまたはガイドには戻らない。
【００４４】
図６を参照すると、地上波放送受信機を用いて移動装置のポップ・アップ・ダイアログ・メッセージを生成する方法を示す流れ図の全体を、参照番号６００で示してある。
【００４５】
この方法６００は、移動装置をブート・アップし、ターン・オンして、制御を機能ブロック６１０に移す機能ブロック６０５を含む。機能ブロック６１０は、通常動作（例えばサービスの視聴、チャネルの変更、メニューとの対話など）を実行し、制御を判定ブロック６１５に移す。判定ブロック６１５では、オン・スクリーン・ディスプレイ（ＯＳＤ）メッセージがあるかどうかを判定する。ＯＳＤメッセージがある場合には、制御を判定ブロック６２０に移す。そうでない場合には、制御を判定ブロック６３０に移す。
【００４６】
判定ブロック６２０では、ユーザ入力の待機も含めてメッセージを除去してもよい状態であるかどうかを判定する。除去してもよい状態である場合には、制御を機能ブロック６２５に移す。そうでない場合には、制御を判定ブロック６３０に移す。
【００４７】
機能ブロック６２５では、メッセージを除去し、任意のユーザ入力を処理し、制御を判定ブロック６３０に移す。
【００４８】
判定ブロック６３０では、ユニバーサル・シリアル・バス（ＵＳＢ）に関係する任意の新しい状態、または新しいメッセージを必要とするディジタル・ビデオ放送（ＤＶＢ）信号があるかどうかを判定する。そのいずれかがある場合には、制御を機能ブロック６３５に移す。そうでない場合には、制御を機能ブロック６１０に戻す。
【００４９】
機能ブロック６３５では、新しいメッセージを生成し、表示し、制御を機能ブロック６１０に戻す。機能ブロック６３５に関しては、メッセージは、必要に応じて、予め指定した期間だけ、且つ／または予め指定した状態が発生するまで、表示することができる。予め指定した状態は、例えば、ユーザ入力の受信を含むこともある。もちろん、本発明は、予め指定した状態としてユーザ入力の受信のみに制限されるわけではなく、従って、本発明の範囲を逸脱することなく、その他の予め指定した状態を、本発明に従ってメッセージを表示する期間を決定するために利用することもできる。
【００５０】
次に、本発明の多くの付随的な利点／特徴のうちのいくつかについて説明する。その一部については、既に上記で言及している。例えば、１つの利点／特徴は、ディジタル地上波信号を受信する地上波受信機を有する移動装置の動作に関連するダイアログ・メッセージを生成するダイアログ生成器を含む装置である。ダイアログ・メッセージは、ユーザ・プロンプティングを行わずに自動的に生成される。
【００５１】
別の利点／特徴は、ダイアログ・メッセージの少なくとも１つが、移動装置がディジタル地上波信号を受信するときに起こる問題に関係する、上述の装置である。
【００５２】
さらに別の利点／特徴は、移動装置がディジタル移動テレビジョン受信機である、上述の装置である。
【００５３】
さらに別の利点／特徴は、ダイアログ・メッセージが、ディジタル・テレビジョン機能に対応する、上述の装置である。
【００５４】
さらに別の利点／特徴は、ダイアログ・メッセージの少なくとも１つが、アイコンおよびテキスト文字列の少なくとも１つで表される、上述の装置である。
【００５５】
さらに別の利点／特徴は、ダイアログ・メッセージのそれぞれが、様々な目的に基づいて区別され、様々な目的が、様々な表示されるアイコンによって表される、上述の装置である。
【００５６】
さらに別の利点／特徴は、ダイアログ・メッセージの少なくとも１つが、現在の動作状態を移動装置のユーザに対して示す動作、または現在の動作状態に関する入力をユーザに要求する動作の少なくとも一方を行う、上述の装置である。
【００５７】
さらに別の利点／特徴は、ダイアログ・メッセージの少なくとも１つが、移動装置の初期化、要求されたサービスの不在、信号の不在、選択された番組の不在、ネットワーク外状態、移動装置の利用可能な更新、ダウンロード状況、および移動装置の動作に関するユーザ動作の要求のうち少なくとも１つに関する、上述の装置である。
【００５８】
さらに別の利点／特徴は、ダイアログ・メッセージの少なくとも１つが、ディジタル・テレビジョン機能の現在の望ましくない状態をユーザに通知することに関係し、ダイアログ・メッセージの少なくとも別の１つが、この現在の望ましくない状態を変化させて以前の望ましい状態に戻すためのユーザ動作をユーザに通知することに関係する、上述の装置である。
【００５９】
さらに別の利点／特徴は、ダイアログ・メッセージの少なくとも１つが、予め指定された期間の間、および予め指定された状態が発生するまで、の少なくとも一方で表示されるように構成される、上述の装置である。
【００６０】
さらに別の利点／特徴は、予め指定された状態が、ユーザ入力の受信を含む、上述の装置である。
【００６１】
さらに別の利点／特徴は、ダイアログ・メッセージの少なくとも１つが、既存の画像、ダイアログ・メッセージの当該の少なくとも１つとともに使用されるための専用の特定の画像、固定画像、および動的画像の上に表示されるように構成される、上述の装置である。
【００６２】
本発明の上記その他の特徴および利点は、当業者なら、本明細書の教示に基づいて容易に確認することができる。本発明の教示は、ハードウェア、ソフトウェア、ファームウェア、特殊目的プロセッサまたはそれらの組合せといった様々な形態で実施することができることを理解されたい。
【００６３】
本発明の教示は、ハードウェアとソフトウェアの組合せとして実施されることが最も好ましい。さらに、ソフトウェアは、プログラム記憶装置に明白に実装されたアプリケーション・プログラムとして実施することができる。アプリケーション・プログラムは、任意の適当なアーキテクチャを有するマシンにアップロードして実行することができる。このマシンは、１つまたは複数の中央処理装置（「ＣＰＵ」）、ランダム・アクセス・メモリ（「ＲＡＭ」）および入出力（「Ｉ／Ｏ」）インタフェースなどのハードウェアを有するコンピュータ・プラットフォームに実装されることが好ましい。コンピュータ・プラットフォームは、オペレーティング・システムおよびマイクロ命令コードを含むこともできる。本明細書に記載の様々なプロセスおよび機能は、ＣＰＵが実行することができる、マイクロ命令コードの一部またはアプリケーション・プログラムの一部あるいはそれらの任意の組合せとすることもできる。さらに、追加のデータ記憶装置や印刷装置など、その他の様々な周辺機器をコンピュータ・プラットフォームに接続することもできる。
【００６４】
さらに、添付の図面に示すシステム構成要素および方法の一部はソフトウェアで実施することが好ましいので、システム構成要素間またはプロセス機能ブロック間の実際の接続形態は、本発明がプログラムされる方法によって変わることがあることを理解されたい。本明細書の教示があれば、当業者なら、上記の、またそれに類する本発明の実施態様または構成を考えつくことができるであろう。
【００６５】
本明細書では添付の図面を参照しながら例示的な実施形態について説明したが、本発明はこれらの具体的な実施形態に限定されるものではなく、当業者なら、本発明の趣旨または範囲を逸脱することなく様々な変更および修正を加えることができることを理解されたい。これらの変更および修正は全て、添付の特許請求の範囲に記載の本発明の範囲に含まれるものとする。
【図面の簡単な説明】
【００６６】
【図１】本発明の実施形態による、地上波放送受信機を備えた移動装置のポップ画面ダイアログを生成する例示的な装置を示すブロック図である。
【図２】本発明の実施形態による、移動装置の初期化時に使用されるポップ・アップ・メッセージを示す例示的なスタート・アップ表示画面を映した画面写真である。
【図３】本発明の実施形態による、注意アイコン付きの固定背景ポップ・アップ・メッセージを示す例示的な表示画面を映した画面写真である。
【図４】本発明の実施形態による、情報アイコン付きのポップ・アップ・メッセージを示す例示的な表示画面を映した画面写真である。
【図５Ａ】本発明の実施形態による、１行のポップ・アップ・メッセージを示す例示的な表示画面を映した画面写真である。
【図５Ｂ】本発明の実施形態による、２行のポップ・アップ・メッセージを示す例示的な表示画面を映した画面写真である。
【図５Ｃ】本発明の実施形態による、３行のポップ・アップ・メッセージを示す例示的な表示画面を映した画面写真である。
【図５Ｄ】本発明の実施形態による、４行のポップ・アップ・メッセージを示す例示的な表示画面を映した画面写真である。
【図５Ｅ】本発明の実施形態による、５行のポップ・アップ・メッセージを示す例示的な表示画面を映した画面写真である。
【図６】本発明の実施形態による、地上波放送受信機を備えた移動装置のポップ・アップ・ダイアログ・メッセージを生成する例示的な方法を示す流れ図である。
【図１】
2009506670.tif 000003
【図２】
2009506670.tif 000004
【図３】
2009506670.tif 000005
【図４】
2009506670.tif 000006
【図５Ａ】
2009506670.tif 000007
【図５Ｂ】
2009506670.tif 000008
【図５Ｃ】
2009506670.tif 000009
【図５Ｄ】
2009506670.tif 000010
【図５Ｅ】
2009506670.tif 000011
【図６】
2009506670.tif 000012
【国際調査報告】
2009506670.tif 000013
2009506670.tif 000014
2009506670.tif 000015